(57)【特許請求の範囲】
【請求項１】
便器に供給するための洗浄水を内部に貯留する洗浄水タンクと、
前記洗浄水タンクに貯留されている前記洗浄水に混入するための洗剤を保持する洗剤保持部と、
前記洗剤保持部が保持する前記洗剤を前記洗浄水タンクの内部で前記洗浄水へ混入する洗剤供給路と、
前記洗浄水タンクの内部に設けられ、かつ、前記洗剤供給路を開閉する開閉機構と、
前記洗浄水タンクへ前記洗浄水を供給する洗浄水供給路と、
前記洗浄水タンクの前記洗浄水を便器へ供給する排水路と、
前記洗浄水タンクの内部に設けられ、かつ、利用者の操作力が伝達されて作動し、かつ、前記排水路を開く第１作動部材と、
前記洗浄水タンクの前記洗浄水に浮き、かつ、前記洗浄水の水位の変化によって作動される第２作動部材と、
が設けられ、
前記第２作動部材は、前記洗浄水の水位が低下して作動されると前記洗浄水供給路を開き、かつ、前記洗浄水の水位が上昇して作動されると前記洗浄水供給路を閉じ、
前記開閉機構は、
前記洗浄水タンクの内部で前記第１作動部材及び前記第２作動部材の作動領域外に固定して設けられたハウジングと、
前記ハウジングの内部に設けられて前記洗浄水タンクの前記洗浄水に浮き、かつ、前記洗浄水の水位の変化によって作動される弁体と、
を有し、
前記弁体は、前記洗浄水の水位が低下して作動されると前記洗剤供給路を開き、かつ、前記洗浄水の水位が上昇して作動されると前記洗剤供給路を閉じる、洗浄水供給装置。
【請求項２】
請求項１記載の洗浄水供給装置において、
前記ハウジングは、前記第１作動部材と前記第２作動部材との間に位置している、洗浄水供給装置。
【請求項３】
請求項２記載の洗浄水供給装置において、
前記洗浄水タンクの上端に載せられ、かつ、前記洗浄水タンクの外部と内部とを隔てる蓋が更に設けられ、
前記開閉機構は、前記洗浄水タンクの内部に設けられている、洗浄水供給装置。
【請求項４】
請求項１乃至３の何れか１項記載の洗浄水供給装置において、
前記洗剤供給路を通る前記洗剤の通過方向に対して垂直な平面内における前記洗剤供給路の面積を変更する調整バルブが設けられている、洗浄水供給装置。
【請求項５】
請求項３記載の洗浄水供給装置において、
前記蓋は、内部が中空の構成であり、
前記洗剤保持部は、前記蓋の内部に設けられている、洗浄水供給装置。
【請求項６】
請求項５記載の洗浄水供給装置において、
前記洗剤保持部は、開口部を有する容器であり、
前記蓋は、前記容器の開口部と前記蓋の外部とを隔てる、洗浄水供給装置。
【請求項７】
請求項３記載の洗浄水供給装置において、
前記洗剤保持部は、前記洗浄水タンクの外部であり、かつ、前記蓋の外部に設けられている、洗浄水供給装置。
【請求項８】
請求項７記載の洗浄水供給装置において、
前記利用者の操作力を前記第１作動部材に伝達する操作部材が、前記洗浄水タンクの外部に設けられ、
前記洗剤保持部は、前記洗浄水タンクの高さ方向で前記操作部材より上に設けられている、洗浄水供給装置。
【請求項９】
請求項７または８記載の洗浄水供給装置において、
前記洗剤供給路を通る前記洗剤の通過方向に対して垂直な平面内における前記洗剤供給路の面積を変更する調整バルブが更に設けられ、
前記調整バルブは、前記洗浄水タンクの外部であり、かつ、前記蓋の外部に配置されている、洗浄水供給装置。
【請求項１０】
請求項１乃至９の何れか１項記載の洗浄水供給装置において、
前記洗浄水タンクに供給される前の洗浄水を輸送する給水路と、
前記給水路に供給された前記洗浄水を前記洗浄水タンクの上方で吐出する手洗い管と、
前記手洗い管から吐出された前記洗浄水を受けるボウル部と、
前記ボウル部に設けられ、かつ、前記手洗い管から吐出された前記洗浄水を前記洗浄水タンクの内部へ落下させる排水口と、
を有する、洗浄水供給装置。
【発明の詳細な説明】
【技術分野】
【０００１】
本開示は、水洗式トイレの便器に洗浄水を供給する洗浄水供給装置に関する。
【背景技術】
【０００２】
水洗式トイレの便器に洗浄水を供給する洗浄水供給装置の一例が、下記の特許文献１に記載されている。特許文献１に記載された洗浄水供給装置は、給水管から流入する洗浄水が貯留される洗浄水タンクと、洗浄水タンクの上に配置される蓋と、蓋に載せられるトイレ用洗剤供給機と、洗浄水タンクに取り付けられた操作レバーと、を有する。トイレ用洗剤供給機は、手動式のポンプボトルであり、トイレ用洗剤供給機は、トイレ用洗剤を貯留するボトル部と、ボトル部に設けられたポンプ部と、を有する。
【０００３】
ポンプ部は、ボトル部から突出されるスパウトと、スパウトに設けられてトイレ洗剤を吐出する吐出部と、を有する。吐出口に導入管が接続され、導入管の先端部は、洗浄水タンク内に配置されている。そして、ポンプ部が手で押されたときに、ボトル部内のトイレ洗浄剤がポンプ部の吐出口から吐出され、トイレ洗浄剤が洗浄水タンク内で洗浄水に混入される。さらに、利用者が操作レバーを手動で操作すると、トイレ洗浄剤の混入された洗浄水が、洗浄水タンクから便器へ供給される。
【先行技術文献】
【特許文献】
【０００４】
【特許文献１】特開２０１５−１７５１３１号公報
【発明の概要】
【発明が解決しようとする課題】
【０００５】
本願発明者は、特許文献１に記載されている洗浄水供給装置は、水洗トイレの利用者が手動で操作レバーを操作しなければ、洗剤が洗浄水へ混入されず、利用者の操作負担が大きい、という課題を認識した。
【０００６】
本開示の目的は、洗剤を洗浄水へ混入させるにあたり、利用者の操作負担を軽減可能な洗浄水供給装置を提供することである。
【課題を解決するための手段】
【０００７】
本開示の洗浄水供給装置は、供給される洗浄水を内部に貯留する洗浄水タンクと、前記洗浄水タンクに貯留されている前記洗浄水に混入するための洗剤を保持する洗剤保持部と、前記洗剤保持部が保持する前記洗剤を前記洗浄水タンクの前記洗浄水へ供給する洗剤供給路と、前記洗浄水タンクの内部に設けられ、かつ、前記洗剤供給路を開閉する開閉機構と、を有し、前記開閉機構は、前記洗浄水タンクの前記洗浄水に浮き、かつ、前記洗浄水の水位の変化によって作動される弁体を有し、前記弁体は、前記洗浄水の水位が低下して作動されると前記洗剤供給路を開き、かつ、前記洗浄水の水位が上昇して作動されると前記洗剤供給路を閉じる。
【発明の効果】
【０００８】
本開示の洗浄水供給装置によれば、洗剤を洗浄水へ混入させるにあたり、利用者の操作負担を軽減可能である。
【図面の簡単な説明】
【０００９】
【図１】本開示の洗浄水供給装置を有する水洗トイレの模式的な側面図である。
【図２】洗浄水供給装置の実施例１であり、図１のＩＩ−ＩＩ線における正面断面図である。
【図３】図２に示す洗浄水供給装置であり、洗浄水タンクの洗浄水の水位が所定位置から低下した状態の正面断面図である。
【図４】本開示の洗浄水供給装置の実施例２を示す部分的な正面断面図である。
【図５】本開示の洗浄水供給装置の実施例３を示す部分的な正面断面図である。
【発明を実施するための形態】
【００１０】
以下、洗浄水供給装置のいくつかの実施形態を図面に基づいて詳細に説明する。なお、実施形態を説明するための図面において、同一部には原則として同一の符号を付し、その繰り返しの説明は省略する。
【００１１】
洗浄水供給装置は、水洗式トイレに用いられる。図１に示す水洗トイレ７０は、洗浄水供給装置１０及び便器１１を有する。洗浄水供給装置１０は、便器１１の上に設けられる。便器１１は、琺瑯（ホーロー）製、または合成樹脂製であり、かつ、床１２に設置されている。便器１１は、洗浄水供給路１３、水たまり１４、排水路１５を有する。排水路１５は、図示しない排水管へ接続されている。便器１１には、便座１６及び便座カバー１７が設けられている。次に、洗浄水供給装置１０の実施例を、順次説明する。
【００１２】
＜実施例１＞
洗浄水供給装置１０は、図２のように、洗浄水タンク１８及び蓋１９を有する。洗浄水タンク１８及び蓋１９は、琺瑯製、または合成樹脂製であり、洗浄水タンク１８は、箱形状である。洗浄水タンク１８は、底部６５及び側壁６４を有する。底部６５は、床１２の上面に沿って設けられており、側壁６４は底部６５から上に向けて略垂直に延ばされている。側壁６４は、底部６５の全周に亘って設けられており、側壁６４によって囲まれた空間である内部２０を形成している。また、内部２０は開口部２１を有する。
【００１３】
蓋１９は、洗浄水タンク１８の高さ方向で洗浄水タンク１８の上端に載せられ、かつ、開口部２１の上に配置されている。蓋１９は、開口部２１と洗浄水タンク１８の外部７１とを隔てている。蓋１９は、天板７２と、天板７２の全周に亘って設けられた側壁６３と、を有する。側壁６３の下端が、側壁６４の上端に載せられている。側壁６３の下端の内側に突起７３が設けられている。図２は、突起７３が、側壁６３の全周に所定間隔をおいて複数設けられている例が示されている。なお、突起７３は、側壁６３の全周に亘って環状に設けられていてもよい。
【００１４】
突起７３が側壁６３に接触することで、蓋１９が洗浄水タンク１８に対して水平方向に移動することが阻止される。さらに、側壁６４の上端に突起が設けられていてもよい。洗浄水３０の高さ方向は、重力の作用方向である鉛直方向と同じである。給水管２２が洗浄水タンク１８の外部に設けられており、給水管２２は給水路２３を有する。水道水が所定の水圧で給水路２３へ供給される。給水管２２は、洗浄水タンク１８のうち、開口部２１に近い位置に設けられている。
【００１５】
給水管２２にボールタップ２４が取り付けられている。ボールタップ２４は、洗浄水タンク１８の内部２０に設けられている。ボールタップ２４は、給水管２２から供給される水を洗浄水タンク１８の内部２０に供給及び停止する機構である。ボールタップ２４は、ボールタップ本体２５、ボールタップ本体２５に設けられた給水路２６、給水路２６と給水路２３とを接続する通路２７、ボールタップ本体２５に支持軸４１を支点として作動可能に取り付けられたアーム２８、アーム２８に取り付けられたフロート２９、アーム２８に連結されたリンク４２、リンク４２に連結された作動部材４３を有する。
【００１６】
フロート２９は、例えば、合成樹脂製、銅製、ステンレス製等により構成された中空体である。フロート２９は、洗浄水タンク１８の内部２０に貯留される洗浄水３０の水面３１で浮く。フロート２９は、洗浄水タンク１８の内部２０における洗浄水３０の量、具体的には、水面３１の水位に応じて、上昇、下降及び停止される。フロート２９が下降及び上昇すると、アーム２８が作動して、作動部材４３が通路２７を開閉する。
【００１７】
洗浄管３２が洗浄水タンク１８の外に設けられており、洗浄管３２は、洗浄水供給路１３を有する。底部６５にマウント部３３が設けられ、弁体（フロートゴム）３４が、洗浄水タンク１８の内部２０に設けられている。弁体３４は合成ゴム製であり、かつ、アーム３５に接続されている。アーム３５は支持軸３６を中心としてマウント部３３により作動可能に支持されている。弁体３４は、洗浄水タンク１８の内部２０の水圧により、マウント部３３に近づく向きで押されている。マウント部３３は、排水路３７を有し、排水路３７は、洗浄水供給路１３に接続されている。
【００１８】
レバー３８が、洗浄水タンク１８の側壁６４に取り付けられている。レバー３８と給水管２２とは、側壁６４のうち水平方向で反対の箇所に設けられている。つまり、レバー３８と給水管２２とは、水平方向に間隔をおいて設けられている。レバー３８は、洗浄水タンク１８の高さ方向で、給水管２２と略同じ位置、具体的には、所定位置に設けられている。所定位置の技術的な意味は後述する。レバー３８は、利用者によって操作され、操作力で弁体３４をマウント部３３から離間させるために設けられている。
【００１９】
レバー３８は、洗浄水タンク１８に対して所定角度の範囲内で回転可能に取り付けられておる。レバー３８は、洗浄水タンク１８の外部７１に配置されている。レバー３８にロッド３９が接続されており、ロッド３９は、洗浄水タンク１８の内部２０に設けられている。ロッド３９は、一例として金属製であり、かつ、Ｌ字形に屈曲されている。ロッド３９の先端部に、鎖４０の長手方向の第１端部が接続されている。鎖４０の長手方向の第２端部は、弁体３４に接続されている。
【００２０】
利用者は、水洗トイレ７０を次のように使用可能である。まず、レバー３８に対する操作力が解除されていると、弁体３４は、洗浄水タンク１８の内部２０の水圧でマウント部３３に押し付けられて停止している。つまり、弁体３４は排水路３７を閉じている。このため、洗浄水タンク１８の内部２０に洗浄水３０が貯留され、その水面３１の高さ（水位）は、図２に示す初期位置にある。
【００２１】
また、フロート２９が洗浄水３０の水面３１に浮いて停止し、かつ、洗浄水３０の水位が初期位置にあると、ボールタップ２４の通路２７が閉じられている。このため、給水路２３の洗浄水は、洗浄水タンク１８の内部２０へ供給されない。さらに、アーム２８は、略水平に延ばされた位置で停止されている。
【００２２】
一方、利用者が便座１６に座って排泄すると、排泄物は、便器１１の水たまり１４へ落ちる。その後、利用者がレバー３８に操作力を付加すると、ロッド３９が所定角度の範囲内で作動し、鎖４０が上方へ牽引される。すると、弁体３４が、水圧に抗してマウント部３３から離間され、排水路３７が開かれる。その結果、洗浄水タンク１８の内部２０の洗浄水は、水圧によって洗浄水供給路１３を通って水たまり１４へ流れ込む。さらに、水たまり１４の排泄物は、洗浄水と共に排水路１５へ排出される。なお、洗浄水３０が弁体３４とマウント部３３との間を通っていると、弁体３４は、アーム３５の支持軸３６を中心として時計回りの付勢力を受ける。
【００２３】
また、洗浄水３０が洗浄水供給路１３へ排出されると、洗浄水タンク１８の内部２０における洗浄水３０の水位が低下する。すると、フロート２９が自重で下降し、かつ、アーム２８が図２で時計回りに作動する。したがって、通路２７が開かれ、給水管２２から供給される洗浄水が、給水路２６から洗浄水タンク１８の内部２０へと供給（落下）される。
【００２４】
さらに、利用者がレバー３８に対する操作力を解除すると、弁体３４の自重、及び弁体３４が受ける水圧で鎖４０が下方へ牽引され、ロッド３９が逆方向に作動する。そして、アーム３５が反時計方向に回転して、弁体３４がマウント部３３に押し付けられ、排水路３７が閉じられる。このため、洗浄水タンク１８の内部２０に洗浄水３０が貯留され、かつ、水位が上昇する。
【００２５】
フロート２９は、洗浄水３０の水位の上昇に伴って上昇し、かつ、アーム２８が反時計回りに作動する。そして、洗浄水３０の水位が初期位置まで上昇すると、通路２７が閉じられ、かつ、洗浄水タンク１８の内部２０に対する洗浄水３０の供給が停止される。
【００２６】
なお、オーバーフロー管４４が洗浄水タンク１８の内部２０に設けられている。オーバーフロー管４４の上端は、洗浄水３０の水位の初期位置よりも上に位置する。オーバーフロー管４４の下端は、排水路３７へ接続されている。ここで、洗浄水３０の水位が初期位置にある状態で、通路２７が常時開いた状態となる故障が発生すると、洗浄水３０の水位が初期位置よりも高くなる。すると、洗浄水３０の一部が、オーバーフロー管４４を通って排水路３７へ排出される。したがって、洗浄水３０の水位が上限位置を超えることを回避できる。上限位置は、初期位置よりも上であり、かつ、所定位置よりも下である。
【００２７】
本開示の洗浄水供給装置１０は、洗剤供給機構４５を有する。洗剤供給機構４５は、洗浄水タンク１８の内部２０へ洗剤を供給するために設けられている。洗剤供給機構４５は、洗浄水タンク１８の内部２０及び蓋１９の内部４６に亘って設けられている。内部４６は空間であり、蓋１９が洗浄水タンク１８に載せられていると、内部２０と内部４６とがつながっている。内部２０，４６は、洗浄水タンク１８及び蓋１９により囲まれた空間である。
【００２８】
洗剤供給機構４５は、洗剤を収容する容器（タンク）４７、開閉バルブ４８、供給管５３、供給量調整バルブ４９を有する。容器４７は、蓋１９の内部４６に設けられている。容器４７は、例えば、合成樹脂製、金属製であり、容器４７の内部５０に洗剤５１が収容される。容器４７の上端に開口部５２が設けられている。洗剤５１は、例えば液体洗剤であり、界面活性剤に加え、除菌、消臭、香料、防カビ等の成分を含む。洗剤５１は、酸性、弱酸性、中性、弱アルカリ性、アルカリ性のうちの何れでもよい。
【００２９】
供給管５３は、内部４６及び内部２０に亘って設けられている。供給管５３は、容器４７及び開閉バルブ４８とは別の部品で構成され、供給管５３の上端が容器４７に接続され、供給管５３の下端が開閉バルブ４８に接続されている。供給管５３は、金属製、合成樹脂製、合成ゴム製等の何れでもよい。供給管５３は、容器４７に対して固定されていてもよいし、容器４７に対して取り付け及び取り外しが可能であってもよい。供給管５３は、供給路５４を有し、供給路５４が容器４７の内部５０に接続されている。
【００３０】
供給量調整バルブ４９は、容器４７の内部５０から洗浄水タンク１８の内部２０に供給される洗剤５１の流量を調整するために設けられている。供給量調整バルブ４９は、調整レバー７４を有し、利用者が調整レバー７４を手動で操作することにより、調整レバー７４の先端部が供給路５４に位置する長さが変化する。このため、供給路５４を洗剤５１が通るポートの面積を調整することが可能である。供給路５４の面積は、洗剤５１が供給路５４を通る方向、つまり、中心線Ａ１に沿った方向に対して垂直な平面内の面積である。調整レバー７４は、内部４６に設けられている。
【００３１】
開閉バルブ４８は、洗浄水タンク１８の内部２０に設けられている。開閉バルブ４８は、フロート２９、鎖４０、ロッド３９等の部品が作動する領域外に設けられている。開閉バルブ４８は、ハウジング５５及び弁体５６を有する。ハウジング５５は、合成樹脂製または金属製の筒部材であり、ハウジング５５に供給管５３が接続されている。また、ハウジング５５は、洗浄水タンク１８によって直接または間接に支持されている。例えば、洗浄水タンク１８の内面に支持腕、ブラケット等の支持機構が設けられ、支持機構によってハウジング５５が、固定されている。
【００３２】
ハウジング５５は、弁体収容室５７を有し、弁体５６が弁体収容室５７に設けられている。弁体５６を構成する材質の密度は、洗浄水３０の密度より小さい。弁体５６の材質は、例えば、合成樹脂であり、かつ、ボール形状である。弁体５６は、弁体収容室５７で中心線Ａ１に沿った方向に作動可能である。中心線Ａ１は、ハウジング５５の中心を表す仮想線であり、中心線Ａ１は、略上下方向、つまり、鉛直線に沿った方向に配置されている。
【００３３】
また、ハウジング５５は、弁体収容室５７を形成する内向きフランジ５８を有し、内向きフランジ５８によって排出口５９が設けられている。内向きフランジ５８の内周面は、排出口５９に近づくことにともない、内径が減少する向きに傾斜されたテーパ面である。排出口５９は、弁体収容室５７及び洗浄水タンク１８の内部２０につながっている。排出口５９は、中心線Ａ１を中心として設けられている。排出口５９は、洗浄水３０の水位の初期位置よりも下方に設けられている。
【００３４】
さらに、ハウジング５５は、弁体収容室５７を囲み、かつ、中心線Ａ１を中心とする環状のテーパ面６０を有する。テーパ面６０は、中心線Ａ１を中心とする内径が、排出口５９に近づくことに伴い拡大する向きで傾斜されている。ハウジング５５は、弁体収容室５７を囲み、かつ、テーパ面６０と排出口５９との間に設けられたストレート面６１有し、ストレート面６１の内径は略一定である。弁体５６の直径は、テーパ面６０の最小内径より大きく、かつ、ストレート面６１の内径より小さく、かつ、排出口５９の内径より大きい。
【００３５】
洗剤供給機構４５の作用は、次の通りである。洗浄水３０の水面３１が初期位置であると、洗浄水３０の水面３１は排出口５９より上に位置している。このため、洗浄水３０の一部は、弁体収容室５７内に進入している。このため、弁体５６は洗浄水３０に浮いており、かつ、弁体５６はテーパ面６０に押し付けられて停止している。弁体５６がテーパ面６０に押し付けられていると、弁体５６は、供給路５４と排出口５９とを遮断している。このため、容器４７の内部５０から自重で供給路５４へ進入している洗剤５１は、弁体５６により堰き止められている。つまり、洗剤５１は洗浄水３０に混入されない。
【００３６】
さらに、図２のように、アーム２８が略水平で停止され、かつ、フロート２９が停止している状態において、開閉バルブ４８は、ロッド３９及び鎖４０と、フロート２９との間に位置している。開閉バルブ４８は、ロッド３９、鎖４０及びフロート２９の何れにも接触していない。
【００３７】
そして、レバー３８に操作力が付与されて弁体３４がマウント部３３から離間し、洗浄水３０が排水路３７へ排出されて、洗浄水３０の水位が低下すると、弁体５６は、弁体収容室５７内で下降する。すると、弁体５６がテーパ面６０から離間され、供給路５４が開かれる。つまり、供給路５４と排出口５９とが接続される。このため、供給路５４からハウジング５５内に進入した洗剤５１は、洗浄水３０に混入され、洗剤５１が混入された洗浄水３０は、排出口５９から洗浄水タンク１８の内部２０へ供給される。したがって、洗剤５１が混入された洗浄水３０が便器１１に供給され、便器１１の内面に異物、汚れ等が付着することを抑制でき、便器１１を衛生的に保持できる。
【００３８】
さらに、洗浄水３０の水面３１が排出口５９よりも下降すると、弁体５６が内向きフランジ５８のテーパ面に接触して停止する。弁体５６が内向きフランジ５８に接触すると、弁体５６は、排出口５９を閉じる。したがって、弁体収容室５７内の洗剤５１は、洗浄水３０へ混入されなくなる。その後、洗浄水タンク１８の内部２０における洗浄水３０の水位が上昇して排出口５９より高くなると、弁体５６が上昇して内向きフランジ５８から離間される。このため、弁体収容室５７内の洗剤５１は、排出口５９から自重で落下し、洗剤５１が洗浄水タンク１８の内部２０の洗浄水３０へ混入される。さらに、弁体５６がテーパ面６０に押し付けられて停止すると、供給路５４が閉じられ、洗剤５１は、洗浄水３０に混入されなくなる。
【００３９】
上記のように、本開示の開閉バルブ４８は、洗浄水３０に浮く弁体５６を有し、洗浄水３０の水位が低下すると弁体５６が下降し、供給路５４が開かれて内部５０と洗浄水タンク１８の内部２０とが接続され、洗剤５１が洗浄水３０に混入される。これに対して、洗浄水３０の水面３１と共に弁体５６が上昇し、容器４７の内部５０と洗浄水タンク１８の内部２０とを遮断すると、洗剤５１は、洗浄水３０に混入されない。このため、利用者は、洗剤５１を洗浄水タンク１８の内部２０の洗浄水３０に混入させるために、専用の操作を行わずに済む。したがって、使用者の操作負担を軽減可能である。
【００４０】
また、容器４７が蓋１９の内部４６に設けられており、蓋１９は、容器４７の開口部５２を覆うカバーを専用で設けずに済む。したがって、部品点数の増加を抑制でき、かつ、蓋１９の外部の異物が、開口部５２から容器４７の内部５０へ侵入することを防止できる。さらに、蓋１９が洗浄水タンク１８から取り外されていると、利用者は、開口部５２から洗剤５１を内部５０へ供給することが可能である。
【００４１】
さらに、利用者は、蓋１９を開いて供給量調整レバー７４を操作し、供給路５４の面積を調整可能できる。具体的には、供給路５４の面積が拡大されると、洗浄水３０へ供給される洗剤５１の供給量が増加する。したがって、容器４７の洗剤５１が、洗浄水３０へ供給される供給量を、便器１１の内面の汚れ程度、季節等に応じて、任意に変更可能である。例えば、夏季は冬季に比べて細菌、ウィルス等が繁殖し易いため、夏季の洗剤５１の供給量を、冬季の洗剤５１の供給量より多くすることができる。さらに、開閉バルブ４８は、アーム２８、フロート２９、鎖４０、ロッド３９の作動領域外に設けられている。したがって、アーム２８、フロート２９、鎖４０、ロッド３９が、開閉バルブ４８に接触することを回避できる。
【００４２】
＜実施例２＞
図４は、洗浄水供給装置１０の実施例２であり、容器４７が外部７１に設けられている。供給管５３の一部が、略水平方向に沿って延ばされている。容器４７は、洗浄水タンク１８の高さ方向で、レバー３８の上方、かつ、蓋１９の側方に配置されている。容器４７は、レバー３８の作動領域外に設けられている。また、容器４７の開口部５２を覆うカバー６２が設けられている。供給管５３はＬ字形に屈曲されており、供給管５３の一部は、ロッド３９の上方に配置されている。供給管５３は、ロッド３９の作動領域外に設けられている。
【００４３】
供給管５３は、蓋１９の側壁６３に設けた貫通孔を介して蓋１９の外部に配置することが可能である。供給管５３の一部が、蓋１９の側壁６３に設けた貫通孔に設けられている場合、容器４７、ハウジング５５及び供給管５３は、蓋１９によって支持されている。図４に示す例では、供給管５３の一部が、洗浄水タンク１８の側壁６４に設けた貫通孔（図示せず）を介して蓋１９の外部に配置されている。容器４７、ハウジング５５及び供給管５３は、蓋１９によって支持されている。中心線Ａ１は、ハウジング５５の中心を示す仮想線である。
【００４４】
さらに、容器４７が外部７１に設けられ、ハウジング５５が内部２０に設けられており、かつ、略水平方向で容器４７とハウジング５５とが異なる位置に設けられている。こののため、供給管５３は、管及びエルボ等を必要に応じて連結して組み立てられている。図４に示す洗浄水供給装置１０の他の構成は、図２に示す洗浄水供給装置１０の構成と同じである。
【００４５】
洗浄水供給装置１０の実施例２は、洗浄水供給装置１０の実施例１と同様の効果を得ることができる。また、利用者は、蓋１９を洗浄水タンク１８から取り外すことなく、カバー６２を容器４７から取り外し、内部５０へ洗剤５１を供給可能である。さらに、容器４７が透明、または、半透明であると、利用者は、容器４７の内部５０の洗剤５１の量を目視で確認可能である。
【００４６】
なお、図４において、供給管５３は、蓋１９の側壁６３に設けた切り欠き部を介して蓋１９の外部７１に配置することも可能である。さらに、洗浄水タンク１８の側壁６４が図４よりも上まで延ばされていれば、供給管５３を、側壁６４に設けた貫通孔、または、切り欠き部を介して外部７１に配置することも可能である。この場合、容器４７、ハウジング５５及び供給管５３は、洗浄水タンク１８によって支持される。さらに、図４において、供給量調整バルブ４９は、二点鎖線で示すように外部７１に設けられていてもよい。この構成であると、蓋１９を洗浄水タンク１８の上から取り外すことなく、利用者は調整レバー７４を操作することができる。したがって、利用者の操作負担が軽減される。
【００４７】
＜実施例３＞
図５は、洗浄水供給装置１０の実施例２であり、蓋１９は、ボウル部７５を有し、ボウル部７５の全周に亘って側壁６３が接続されている。ボウル部７５は、琺瑯製であり、かつ、側壁６３と一体化されている。ボウル部７５は、洗浄水タンク１８に供給される前の洗浄水を誘導する要素である。ボウル部７５は、排水口７６を有する。ボウル部７５に手洗い管７７が取り付けられている。手洗い管７７は、金属製又は合成樹脂製である。手洗い管７７は、ボウル部７５から上に向けて延ばされ、かつ、Ｊ字形状に湾曲されている。手洗い管７７の吐出口は、外部７１に配置されている。
【００４８】
手洗い管７７におけるボウル部７５側の開口端と、給水路２６とを接続する接続管７８が設けられている。接続管７８は、ゴムホースまたは蛇腹管であり、可撓性を有する。接続管７８は、側壁６３及びボウル部７５により囲まれた空間Ｂ１に設けられている。接続管７８は、蓋１９を洗浄水タンク１８から取り外して開口部２１開いた場合に、接続管７８が手洗い管７７及び給水路２６に接続された状態を維持できるように、接続管７８の長さが設定されている。なお、供給管５３の一長さ方向の一部は、空間Ｂ１に配置されている。
【００４９】
図５に示す洗浄水供給装置１０では、レバー３８が操作されて洗浄水３０の水位が低下し、かつ、通路２７が開くと、給水路２６に供給された洗浄水は、水圧によって接続管７８を経由して手洗い管７７へ流れ込み、手洗い管７７の吐出口から洗浄水が吐出される。洗浄水は下方、具体的にはボウル部７５へ向けて吐出される。利用者は、手をボウル部７５と手洗い管７７の吐出部との間に進入させると、手が洗浄水で洗われる。手洗い管７７の吐出部から吐出された洗浄水は、ボウル部７５の表面に沿って流れ、排水口７６から内部２０へ落下する。
【００５０】
図５に示す洗浄水供給装置１０の他の構成は、図２及び図４に示す洗浄水供給装置１０の構成と同じである。図５に示す洗浄水供給装置１０の効果、図２及び図４に示す洗浄水供給装置１０の効果と同じである。なお、図５において、容器４７を空間Ｂ１に設けることも可能である。この場合、容器４７とボウル部７５とが接触しないように、側壁６３の高さ、及びボウル部７５の高さを定める。
【００５１】
＜補足説明＞
本実施形態で説明された事項の技術的意味の一例は、次の通りである。洗浄水供給装置１０は、洗浄水供給装置の一例である。洗浄水タンク１８は、洗浄水タンクの一例である。蓋１９は、蓋の一例である。内部４６は、蓋１９の内部の一例である。内部２０は、洗浄水タンクの内部の一例である。外部７１は、蓋１９の外部及び洗浄水タンク１８の外部の一例である。容器４７は、洗剤保持部の一例である。供給路５４は、洗剤供給路の一例である。開閉バルブ４８は、開閉機構の一例である。弁体５６は、弁体の一例である。通路２７は、洗浄水供給路の一例である。排水路３７は、排水路の一例である。便器１１は、便器の一例である。
【００５２】
ロッド３９、鎖４０、弁体３４は、第１作動部材の一例である。フロート２９及びアーム２８は、第２作動部材の一例である。中心線Ａ１に沿った方向は、洗剤の通過方向の一例である。供給量調整バルブ４９は、調整バルブの一例である。開口部５２は、容器４７の開口部である。レバー３８は、操作部材の一例である。給水路２６は、給水路の一例である。手洗い管７７は手洗い管の一例である。ボウル部７５は、ボウル部の一例である。排水口７６は、排水口の一例である。
【００５３】
本実施形態で説明した洗浄水供給装置１０は、図面を用いて説明したものに限定されない。例えば、洗浄水供給装置１０を正面視した図２及び図４において、開閉バルブ４８は、フロート２９と鎖４０との間に設けた例が示されているが、開閉バルブ４８を設ける位置は、図２及び図４の例に限定されない。つまり、開閉バルブ４８が設けられる箇所は、フロート２９、鎖４０、ロッド３９等の可動部品が作動した場合に、部品が開閉バルブ４８に接触しない箇所であればよい。
【００５４】
具体的に説明すると、図２または図３のように、洗浄水供給装置１０を正面視した場合に、開閉バルブ４８の配置領域の少なくとも一部が、少なくとも１つの可動部品の配置領域の少なくとも一部と重なっていたとしても、洗浄水供給装置１０の前後方向で、開閉バルブ４８の配置領域と、可動部品の作動領域とが異なっていればよい。供給管５３は、洗剤が流通可能な要素であればパイプ、ホース等の何れでもよい。
【００５５】
容器４７が供給管５３に対して取り付け及び取り外し可能な構成であれば、容器４７は、専用に設けられたもの、または、市販されている洗剤容器の何れでもよい。例えば、シャンプー（液体洗髪剤）のボトルを容器４７として用いることも可能である。この場合、ボトルの抽出口を下に向けて、供給管５３に接続する。さらに、図４または図５のように、容器４７を外部７１に設ける場合、洗浄水タンク１８の上端と蓋１９との間に供給管５３の一部を配置することも可能である。この場合、洗浄水タンク１８の上端と蓋１９との間にスペーサを介在させることで、蓋１９の質量が、供給管５３に加わることを抑制可能である。スペーサは、洗浄水タンク１８の開口部２１の全周に亘って設けられる。スペーサは、例えば、合成樹脂製、合成ゴム製である。
【００５６】
さらに、洗浄水供給路、排水路、洗剤供給路は、それぞれ洗浄水、洗剤が通過可能な構成であればよく、通路、ポート、孔、開口部等を含む。さらに、洗剤５１は、容器４７から洗浄水タンク１８を経て排水路１５に至る過程で詰まることが無く、かつ、洗浄水３０に溶けるという条件を満たす成分及び粒径であれば、洗剤５１は粉末でもよい。
【産業上の利用可能性】
【００５７】
本開示の洗浄剤供給装置は、戸建て、マンション、公園、学校、雑居ビル等、あらゆる環境の水洗トイレに利用可能である。
【符号の説明】
【００５８】
１０…洗浄水供給装置、１８…洗浄水タンク、１９…蓋、２０，４６…内部、２７…通路、２８…アーム、２９…フロート、３４，５６…弁体、３７…排水路、３８…レバー、３９…ロッド、４０…鎖、４７…容器、４８…開閉バルブ、４９…供給量調整バルブ、５２…開口部、５４…供給路、７１…外部
【要約】
【課題】洗剤を洗浄水へ混入させるにあたり、利用者の操作負担を軽減可能な洗浄水供給装置を提供する。
【解決手段】便器に供給するための洗浄水３０を内部２０に貯留する洗浄水タンク１８と、洗浄水タンク１８に貯留されている洗浄水３０に混入するための洗剤５１を保持する容器４７と、容器４７が保持する洗剤５１を洗浄水３０へ混入する供給路５４と、洗浄水タンク１８の内部２０に設けられ、かつ、供給路５４を開閉する開閉バルブ４８と、を有し、開閉バルブ４８は、洗浄水タンク１８の洗浄水３０に浮き、かつ、洗浄水３０の水位の変化によって作動される弁体５６を有し、弁体５６は、洗浄水３０の水位が低下して作動されると供給路５４を開き、かつ、洗浄水３０の水位が上昇して作動されると供給路５４を閉じる。
【選択図】図２【図１】
0006931838.tif 000002
【図２】
0006931838.tif 000003
【図３】
0006931838.tif 000004
【図４】
0006931838.tif 000005
【図５】
0006931838.tif 000006